(57)【要約】      （修正有）【課題】照射面の防護機能に優れ、かつ保守、管理の容易なＬＥＤ照明器具を提供する。【解決手段】円形もしくは方形の器具本体１内に、複数のＬＥＤ素子を実装すると共に、放射面側には透明なガラス製、硬質プラスチック製のランプカバー２を装着してなり、かつその表面には必要に応じて金属製、プラスチック製の柵、網からなるガード３を装着し、ランプカバー２の前面に、透明もしくは半透明の強化ガラスや強化プラスチックからなる箱形、平板状もしくは曲板状の防護カバー５を着脱可能に取付ける。【選択図】図１
0003198798.tif 000002
【実用新案登録請求の範囲】
【請求項１】
円形もしくは方形の器具本体内に、複数のＬＥＤ素子を実装すると共に、放射面側には透明なガラス製、硬質プラスチック製のランプカバーを装着してなり、かつその表面には必要に応じて金属製、プラスチック製の柵、網からなるガードを装着してなるＬＥＤ照明器具において、
前記ランプカバーの前面に、透明もしくは半透明の強化ガラスや強化プラスチックからなる箱形、平板状もしくは曲板状の防護カバーを着脱可能に取付けてなることを特徴とするＬＥＤ照明器具。
【請求項２】
前記防護カバーの取付けは、ランプカバーとガードとの間に位置させて、器具本体もしくはガードに対して嵌着、螺子止め、挟み込みおよび接着のいずれかの方法によることを特徴とする請求項１に記載のＬＥＤ照明器具。
【考案の詳細な説明】
【技術分野】
【０００１】
本考案は、投光器や移動灯、保安灯、工事灯、街灯、信号灯などとして使われる照明器具、とくにＬＥＤ照明器具に関するものである。
【背景技術】
【０００２】
工場や土木・建設現場、道路、トンネル、鉄道などの場所で使用される投光器などの照明器具としては、近年、白熱灯などのフィラメントランプや水銀灯に代わって、エネルギー変換効率に優れたＬＥＤランプを用いたＬＥＤ照明器具が主流となりつつある。それは、高輝度の白色ＬＥＤが使われるＬＥＤランプの場合、白熱灯などに比べて消費電力や寿命の点でより優れているからである。
【０００３】
こうした照明器具は、使用環境が工場や土木・建設現場などにおいて手摺りや柱に主として着脱可能に取付けて使われるために、作業機械や作業員、作業車輌等と接触したり衝突したりすることが多く、破損の機会が多いのが実情である。とくに、溶接現場などはでは、火の粉や溶滴が飛散したり、砂利、鉱石、バラスなどを扱う現場では礫状の粉粒体が多く飛散する環境であることから、該照明器具の前面（照射面）にあるランプカバー、とくにガラスやプラスチック製のランプカバーの部分が簡単に破損することが多い。特に、こうした破損は、リース物件の照明器具に多く発生する。それは、一般に、リース物件は、取り扱いが比較的乱暴になることから、多発するのである。
【０００４】
もちろん、従来の照明器具、例えばＬＥＤ投光器などは、特許文献１にあるように、ランプカバーの他に反射器を取付けて保護したり、特許文献２、３にあるようにバンパーや防護柵、金属製保安網などからなるランプガードをＬＥＤランプの外側に取付けて保護を試みている。しかし、これらのランプガードでは前述したように、粉・粒状の鉄鉱石や石炭、砂利、砕石などの礫状物や溶滴の飛散による破損を完全に防ぐことが難しく、しかもその破損が頻発しているのが実情である。
【先行技術文献】
【特許文献】
【０００５】
【特許文献１】特開２００３−２８１９０９号公報
【特許文献２】特開２００９−２１８２０９号公報
【特許文献３】特開２０１４−２１２０２４号公報
【考案の概要】
【考案が解決しようとする課題】
【０００６】
ところが、前記ＬＥＤランプというのは、フィラメントランプなどに比べると照射面から放射される光束が少なく、投光器として使う場合に必要な照射量を得るためには多数のＬＥＤ素子を集合させた構造にする必要があり、その結果、購入価格はフィラメントランプに比べると、より高価なものになるのが普通である。
【０００７】
その結果、もし破損した場合には通常、早急に該ＬＥＤ照明器具の交換が必要となるが、高価でその本体をそっくり交換することは経済的とは言えない。一方で、個々のＬＥＤ素子を部分的に交換することは、構造上容易なことではない。さらに、ＬＥＤ照明器具は、光が照射される照射面に傷がついてしまうと、照射の妨げになり、投光器としての機能が失われてしまう。この意味で、既存のランプガードによる防護だけに頼るのは得策ではなく、それ故に、近年では前記礫状物対策（照射面のみの簡単な交換など）を施したＬＥＤ照射器具の開発が強く求められていたのである。
【０００８】
このような背景の下で、従来はＬＥＤ照明器具がリース物件としては利用されていないのである。即ち、フィラメントランプであれば、損傷程度に応じて交換する対応で十分であるが、ＬＥＤ照明器具の場合、高価なためにリース物件にするには採算が合わず、その導入がためらわれていたのである。因みに、小型の投光器などのフィラメントランプは数千円程度で交換できるが、ＬＥＤ照明器具となると数万円も必要となる。
【０００９】
そこで、本考案の目的は、照射面の防護機能に優れ、かつ保守、管理の容易なＬＥＤ照明器具を提供することにある。
【課題を解決するための手段】
【００１０】
従来技術が抱えている前述した課題の解決ならびに上掲の目的の実現に向けて鋭意検討を重ねた結果、本考案者らは、下記の如き解決手段の採用が有効であることを知見し、本考案を開発するに到った。
【００１１】
即ち、本考案は、円形もしくは方形の器具本体内に、複数のＬＥＤ素子を実装すると共に、放射面側には透明なガラス製、硬質プラスチック製のランプカバーを装着してなり、かつその表面には必要に応じて金属製、プラスチック製の柵、網からなるガードを装着してなるＬＥＤ照明器具において、前記ランプカバーの前面に、透明もしくは半透明の強化ガラスや強化プラスチックからなる箱形、平板状もしくは曲板状の防護カバーを着脱可能に取付けてなることを特徴とするＬＥＤ照明器具を提供する。
【００１２】
なお、本考案においては、前記防護カバーの取付けは、ランプカバーとガードとの間に位置させて、器具本体もしくはガードに対して嵌着、螺子止め、挟み込みおよび接着のいずれかの方法によることが、より好ましい課題解決手段となると考えられる。
【考案の効果】
【００１３】
前記の構成に係る本考案のＬＥＤ照明器具によれば、高価なＬＥＤ照明器具を簡単な方法で保護、保守することができる。しかも、たとえ、この照明器具が破損するような外力を受けても、ガードと本考案の防護カバーにより、ランプカバーおよびＬＥＤ素子のランプ本体は破損することなく保護される。
また、防護カバー自体は簡単に交換することができる構成になっているので、コストの著しい低減にも寄与する。
従って、本考案によれば、従来のようにコスト高になることを嫌って作業現場への該ＬＥＤ照明器具の導入が見送られたり、ＬＥＤ照明器具が設置された場所においてもその設置数を減らされることもなくなり、作業や交通の安全に資するものが得られる。
【図面の簡単な説明】
【００１４】
【図１】本考案に係るＬＥＤ照明器具（投光器）の一例（丸形）を示す斜視図である。
【図２】（ａ）、（ｂ）は、いずれも本考案に係るＬＥＤ照明器具（投光器）の本体部分を含む部分断面図である。
【図３】本考案の他の例（角形）を示す分解斜視図である。
【考案を実施するための形態】
【００１５】
図１は、外観が丸形のスポット投光器の例である代表的なＬＥＤ照明器具（以下、主として「ＬＥＤ投光器」の例で説明する）を示すものである。このＬＥＤ投光器（Ｆ）は、光源となる複数のＬＥＤ（交流発光ダイオード）素子を、円形もしくは方形の鋼製、アルミニウム製器具本体（ハウジング）１内に収容し配列（実装）し、これらの前面、即ち、照射面に、主として透明な強化ガラス、強化プラスチックのような皿形、椀形のランプカバー２を取外し可能に取付けて構成されている。
【００１６】
そして、前記ランプカバー２の前面および／または側面、もしくは器具本体を含む全体に、金属製、プラスチック製の網、柵からなるガード３が、主として前記器具本体１に対してボルト４やネジを介して係止する他、嵌着するなどして取外し可能に取付けられ、基本的な投光器Ｆの構成を形造っている。なお、図１、３には、器具本体１を、柱、梁、ポール等に取付けるためのクランプ用スタンド６の一例を一点鎖線で示した。
【００１７】
上述した構成からなる投光器、即ち、ＬＥＤ照明器具に対し、本考案では、さらに以下に説明するような構成を付加した点に特徴がある。それは前記ランプカバー２とは別に、このランプカバー２の外側に位置させてこれを保護し、さらにはその内側に内装されている前記ＬＥＤ素子をも２重に保護する役割をもつ次のような防護カバー５を、図示したような箱形のものでは、主として器具本体１に対して外嵌めする形で、かつ着脱可能に嵌め合わせ、前記ランプカバー２と網状のガード３との間に配設する。
【００１８】
本考案において特徴的な、かかる防護カバー５は、平板状もしくは皿形曲板状の、所謂、板状のものであってもよく、この場合、好ましくは図２（ａ）に示したように１枚以上を当該ガード３と前記ランプカバー２との間に配設して用いることが好ましい。例えば、防護カバー５はガード３に接着してもよいし、ランプカバー２に嵌着してもよいし、ガード３とランプカバー２間に挟み込んで保持してもよい。
【００１９】
上述した防護カバー５は、透明もしくは半透明の強化ガラスやコーティングガラスあるいは強化プラスチック製（ＧＦＲＰ、ＡＦＲＰ、ＫＦＲＰｅｔｃ．）のものを用い、既に述べたように、器具本体１にできるだけ簡単に着脱できるように取付けることが好ましい。
【００２０】
このような防護カバー５の採用によって、ＬＥＤ照明器具は２重に保護される結果、ＬＥＤ素子を含むランプホルダー部分については、破損する虞が極めて少なくなると同時に、たとえ破損した場合であってもその多くは該防護カバー５の部分のみの交換で足りることになる。しかも、修理が必要となる場合も、最外部にある該防護カバーのみを取り換えればよく、コスト的に頗る有利であるだけでなく、その作業も簡単に短時間で終えることができる。
【００２１】
即ち、前述した構成の防護カバー５を採用することによって、棒状のものなどが突き刺さって、前記防護カバー５ごと破損するような場合を除き、ＬＥＤ素子の破損はなくなるのである。
【００２２】
また、従来品では、リースする物件について、ＬＥＤ素子（光源）に溶接スパッタ等が付着損傷した状態のものが、再リース時に、使用者側でその損傷が発見されるというケースもあったが、本考案によれば多くの場合、防護カバー５への付着だけですみ、ＬＥＤ素子自体の損傷は防止できているため、リース物件への信頼性が向上するという効果もある。
【産業上の利用可能性】
【００２３】
本考案に係るＬＥＤ照明器具は、工場や屋内・外作業場（土木、建築現場）、倉庫、駅や港のヤードなどの場所において、前述した投光器の例だけでなく、非常灯や移動灯、保安等、工事灯−街灯、信号灯などに対して適用されるものであって、これらの用途に使われる場合に極めて有効な器具を提供するものである。
【符号の説明】
【００２４】
１  器具本体
２  ランプカバー、
３  ガード
４  ネジ、ボルト
５  防護カバー
６  スタンド
【図１】
0003198798.tif 000003
【図２】
0003198798.tif 000004
【図３】
0003198798.tif 000005